(57)【特許請求の範囲】
【請求項１】
原稿載置部に配置された原稿を読み取って該原稿を記録する第１記録手段と、
当該画像記録装置から離した状態の画像読取装置によって読み取った原稿を記録する第２記録手段と、
前記原稿の記録を指示する指示手段と、
前記原稿載置部に原稿が配置されているか否かを判断する判断手段と、
前記画像読取装置に読取データがあるか否かを検出する検出手段とを備え、
前記指示手段によって原稿の記録が指示されたとき、前記判断手段による判断に基づき、原稿載置部に原稿が配置されているとき第１記録手段による原稿の記録を行い、原稿載置部に原稿が配置されていないときであって、前記検出手段により前記読取データが検出されたとき第２記録手段による原稿の記録を行うことを特徴とする画像記録装置。
【発明の詳細な説明】
【０００１】
【発明の属する技術分野】
本発明は、画像記録装置に関し、より詳細には、画像記録装置の原稿の記録と画像記録装置に接続される画像読取装置の原稿の記録を自動的に選択、実行する画像記録装置に関する。
【０００２】
【従来の技術】
画像記録装置には、読み取り機能、コピー機能、フアクシミリ機能、プリンタ機能等を一台の装置に備えるようにしたマルチフアンクションタイプのものが多い。このような画像記録装置の中には、画像記録装置とは別体のハンドスキャナーと称されるコードレスで持ち運び自由の画像読取装置を使用できるようにしたものがある。このような画像読取装置としては、オプション装置として別売りされ、ユーザーが必要に応じて画像記録装置に付加して使用するタイプのものや、画像記録装置本体の読取部を兼ねるものとして画像記録装置に着脱自在でかつ装着時において一体的に構成され一体で販売されるタイプのものが知られている。これらはいずれも、画像読取装置は、画像記録装置本体から離してフリーな状態で使用できるため、例えば書籍、雑誌、ノート等の厚みを有する綴じ込み原稿の読み取り等には極めて有用性が高く多用されている。
【０００３】
図５は、従来の画像記録装置及びこの画像記録装置に接続可能な画像読取装置の斜視図で、図中、１′は画像記録装置、２′は画像読取装置（以下、ハンドスキャナーという）、３は画像記録装置１′とハンドスキャナー２′を接続する通信用コードである。
【０００４】
画像記録装置１′は、コピー機能、フアクシミリ機能、プリンタ機能等を有するマルチタイプの画像記録装置であり、そのために本体上面に、各種操作ボタンが配列された操作パネル１a、この操作ボタンでセットされた内容等を表示する液晶表示部１ｂ、読み取り用の原稿を配置する原稿載置部１ｃ、図示しない記録用紙カセットを配置するための記録用紙カセット配置部１ｄが配設されている。また、画像記録装置１′の原稿載置部１ｃに載置された原稿をコピーするときに押下されるコピー実行ボタン１ｅが配置されている。
【０００５】
画像記録装置１′の本体前側面には、読み取られた原稿が排出される原稿排出部１ｆ、コピーされた記録用紙が排出される記録用紙排出部１ｇが構成される。
更に、画像記録装置１′の本体前側面下部には、ハンドスキャナー２′を接続するための通信用コードの入力端子部１ｈが設けられている。
【０００６】
ハンドスキャナー２′は、原稿上を走査することによりデータを読み取り、記憶し、読み取り終了後、通信用コード３で画像記録装置１′とハンドスキャナー２′を接続し、記憶した読み取りデータを画像記録装置１′で記録（コピー）する。
【０００７】
図６は、従来のハンドスキャナー２′の斜視図で、図中、２ａはスタート／ストップ・スイッチ、２ｂはモード設定用スイッチで、設定モードとして、読取モードＭａ、消去モードＭｂ、出力モードMｃの３つのモードを有する。２ｃは出力端子部である。
画像の読み取りを行なう場合は、モード設定用スイッチ２ｂをスライドさせて読取モードMａに設定した状態で、スタート／ストップ・スイッチ２ａを押下してハンドスキャナー２′を原稿上で矢印方向に走行させながら画像情報を読み取る。読み取りを終了するときは再びスタート／ストップ・スイッチ２ａを押下する。このようにして読み取られた原稿は、ハンドスキャナー２′内のメモリに一旦記憶される。
【０００８】
読み取った原稿をコピーする場合は、ハンドスキャナー２′をその出力端子部２ｃから通信用コード３を介して画像記録装置１′の入力端子部１ｈに接続し、ハンドスキャナー２′のモード設定用スイッチ２ｂを出力モードＭｃに設定した後、スタート／ストップ・スイッチ２ａを押下する。
【０００９】
【発明が解決しようとする課題】
この種の画像記録装置は、装置自身、例えばカット紙に印刷された原稿をコピーしたりするために記録（コピー）機能を有しており、そのために画像記録装置本体にコピー実行ボタンを備えている。このためユーザーが、画像記録装置と共にハンドスキャナーを使用する場合には、所定の原稿をコピーするにあたって、画像記録装置本体のコピー実行ボタンの操作か、又はハンドスキャナーのモード設定用スイッチ及びスタート／ストップ・スイッチの操作かのいずれを行なうべきか常に留意しておき、その使い分けをする必要があるため、操作が煩わしく面倒になるという問題点があった。
【００１０】
本発明は、上述の実情に鑑みてなされたもので、画像記録装置の原稿の有無によって、画像記録装置の原稿のコピーとハンドスキャナーの原稿のコピーを自動的に選択することによりコピー操作を単純にする画像記録装置を提供するものである。
【００１１】
【課題を解決するための手段】
請求項１の発明は、原稿載置部に配置された原稿を読み取って該原稿を記録する第１記録手段と、当該画像記録装置から離した状態の画像読取装置によって読み取った原稿を記録する第２記録手段と、前記原稿の記録を指示する指示手段と、前記原稿載置部に原稿が配置されているか否かを判断する判断手段と、前記画像読取装置に読取データがあるか否かを検出する検出手段とを備え、前記指示手段によって原稿の記録が指示されたとき、前記判断手段による判断に基づき、原稿載置部に原稿が配置されているとき第１記録手段による原稿の記録を行い、原稿載置部に原稿が配置されていないときであって、前記検出手段により前記読取データが検出されたとき第２記録手段による原稿の記録を行うことを特徴とし、もって、コピー操作の操作性を向上させるようにしたものである。
【００１２】
【００１３】
【発明の実施の形態】
図１は、本発明が適用される画像記録装置の斜視図で、図中、１は画像記録装置であり、図示されない内部に原稿センサが取り付けられているほかは図５と同じであり、図５と同じ構成部分には同じ参照番号を付し説明を省略する。
【００１４】
図２は、本発明が適用されるハンドスキャナーの斜視図で、図中、２はハンドスキャナーで、図６と同じ構成部分には同じ参照番号を付し説明を省略する。
【００１５】
図３（Ａ）は、本発明の実施例を説明するための画像記録装置の内部構成ブロック図で、図中、２０はフアクシミリ部、３０はプリンタ部、４０はインターフエース部で、これらフアクシミリ部２０及びプリンタ部３０は、インターフエース部４０により相互に信号やデータの伝送が可能になっており、インターフエース部４０は入力端子部１ｈに接続される。
フアクシミリ部２０は、フアクシミリ制御回路２１により制御される、画像読取部２２、モデム２３、ＮＣＵ（網制御装置）２４、復号器符号器２５、ＣＰＵ２６、ＲＯＭ２７、ＲＡＭ２８等を有する。
モデム２３はＮＣＵ２４や電話回線等によるネットワークを介して図示しない相手方のフアクシミリとの間で画像データの送受信を行う。ＮＣＵ２４は、電話網に対してダイヤル信号を送出したり、あるいは電話網からの呼出信号に応答する等の動作を行う。復号器符号器２５は、画像読取部２２又はハンドスキャナー２によって読み取られた画像データを相手方フアクシミリに送信するために符号化したり、相手方フアクシミリから送られた符号化された画像データを復号化したりする。また、ＲＯＭ２７は、コピー機能またはハンドスキャナー２によって読み取られた画像データのプリント機能を選択する際のプログラムやその他制御に必要なプログラムが格納されるメモリである。また、ＲＡＭ２８は、相手方フアクシミリからの受信データ、画像読取部２２によって読み取られた画像データ、またＣＰＵ２６により演算された各種データを一時的に記憶するメモリである。
そして、ＣＰＵ２６は、ＲＯＭ２７に記憶されているプログラムに従ってコピー機能またはハンドスキャナー２によって読み取られた画像データのプリントアウトを選択的に制御したり、その他フアクシミリ部２０全体の制御を行う。更にフアクシミリ制御回路２１には、操作パネル１ａ及び前記原稿センサ２９が接続されている。
【００１６】
プリンタ部３０は、プリンタ機能を実現するためにプリンタ３７等を制御するプリンタ制御回路３１、文字発生回路（ＣＧ）３２、入出力回路（Ｉ／Ｏ）３３、ＣＰＵ３４、ＲＯＭ３５，ＲＡＭ３６、プリンタ３７を有する。文字発生回路（ＣＧ）３２は、図示しないパーソナルコンピュータから入力される文字コードデータをイメージデータに変換する。入出力回路（Ｉ／Ｏ）３３は、この回路を介して図示しないパーソナルコンピュータとの間でデータの送受信が行われる。ＣＰＵ３４は、ＲＯＭ３５に記憶されているプリンタ制御プログラムに従ってプリンタ部３０を制御し、このときに演算された各種データは、ＲＡＭ３６に一時的に記憶される。ＲＡＭ３６には、前記パーソナルコンピュータから送られるデータやハンドスキャナー２から入力される画像データが記憶される。プリンタ３７は、電子写真方式のいわゆるレーザプリンタや、インクジェット型のプリンタ等が使用される。
【００１７】
インターフエース４０は、ハンドスキャナー２からの画像データを入力する入力端子部１ｈに接続されている。入力端子部１ｈに、通信用コード３によりハンドスキャナー２が接続されると、ＣＰＵ２６は入力端子部１ｈからの信号を検知してハンドスキャナー２が接続されたことを認識する。
【００１８】
図３（B）は、本発明の実施例を説明するためのハンドスキャナーの内部構成ブロック図で、図中、２はハンドスキャナー、２ｄは操作スイッチ、２ａは図６のそれと同じスタート／ストップ・スイッチ、４１は入出力回路（Ｉ／Ｏ）、４２はＣＰＵ、４３はＲＯＭ、４４はエンコーダ、４５は読取部、４６はＲＡＭである。
ユーザーは、ハンドスキャナー２を掴みながら原稿上を走行させるとき読取部４５が原稿から画像情報を読み取る。読み取られた画像情報は、ＲＡＭ４６に格納され、ＲＯＭ４３に格納されたプログラムに従ってＣＰＵ４２が動作するとき、入出力回路（Ｉ／Ｏ）４１を介して画像記録装置1側に送出されコピー出力されることになる。このためにハンドスキャナー２は出力端子部２ｃから通信用コード３により画像記録装置１に接続される。
【００１９】
画像記録装置１は、該装置本体のコピー機能を遂行するために装置自身にコピー実行ボタン１ｅを備えている。ハンドスキャナー２も既述のようにコピー実行ボタンに相当する操作スイッチ２ｄ及びスタート／ストップ・スイッチ２ａを備えており、同一機能を実現するのにボタン又はスイッチの操作が複数通りあるためにユーザーにとって操作の煩雑さは拭えきれなかった。本発明は、一つのボタンの操作で画像記録装置１の原稿の有無等によって画像記録装置１のコピー機能とハンドスキャナー２のコピー機能を切り分けるようにし、従来のハンドスキャナー２′におけるモード設定スイッチ２ｂから出力（コピー）モードをなくし、コピー操作を単純にする。
【００２０】
即ち、本実施例のハンドスキャナー２においては、従来のハンドスキャナー２′におけるモード設定スイッチ２ｂの出力モードMｃ（図６）をなくし、ハンドスキャナーで読み取ったＲＡＭ４６内の画像情報を消去する必要がある場合のみ操作スイッチ２ｄを消去ポジションＭｂに所定時間（例えば、２秒）操作するように構成したので、ハンドスキャナー２の操作がさらに単純化できる。
そして、画像記録装置１のコピー実行ボタン１ｅのみで、画像記録装置１に原稿があるか、ないか、またハンドスキャナー２が接続されているか、いないかにより画像記録装置１のコピー実行ボタン１ｅが押下されるとき画像記録装置１の原稿のコピーと、ハンドスキャナー２の原稿のコピーとを自動的に選択する。
【００２１】
図４は、この操作の手順を示すプログラムのフローチャートである。
画像記録装置１のコピー実行ボタン１ｅが押下されると、図４において、画像記録装置の原稿載置部１ｃに原稿が存在するか否かを検出する（Ｓ１）。原稿があるか否かにより（Ｓ２）、原稿があれば（Ｓ２のYES）、その原稿をコピーする（Ｓ３）、原稿がなければ（Ｓ２のＮＯ）ハンドスキャナーが画像記録装置に接続されているか否かを検出する（Ｓ４）。接続がなされていなければ（Ｓ５のＮＯ）拒否音を鳴動し（Ｓ７）、接続がなされていれば（Ｓ５のＹＥＳ）更にハンドスキャナーに読取データがあるか否かを検出して読取データがなければ（Ｓ６のＮＯ）拒否音を鳴動し（Ｓ７）、読取データがあれば（Ｓ６のＹＥＳ）この読取データを印刷する（Ｓ８）。
【００２２】
このように本実施例の画像記録装置１によれば、画像記録装置本体に載置された原稿の記録と画像読取装置で読み取られた原稿の記録を自動的に選択して実行するので、画像記録装置１のコピー実行ボタン１ｅを押下するだけの単純な操作だけで、操作の煩わしさは一切なくなる。例えば、画像読取装置で読み取られた原稿が大量に存在する場合であって至急コピーしなければならない原稿があるとき、かかる原稿を原稿載置部１ｃにセットしてコピー実行ボタン１ｅを押せば、何ら装置設定を変更することなく、また誤ってハンドスキャナーで読み取った原稿画像を消去してしまうことなく、極めて簡易な操作で割り込みコピーを行なうことができる。
【００２３】
なお、図４のフローチャートにおいては、画像記録装置の原稿載置部１ｃに載置された原稿が優先的にコピーされるように処理するようにしたが、本発明はこれに限定されるものではない。例えば、図４のフローチャートにおいて、原稿の有無のチェックをハンドスキャナー接続のチェックより先に行なったが、これを逆にすることで、ハンドスキャナーで読み取ったっ原稿画像を優先的に印刷するように処理することも可能である。
【００２４】
この動作において、原稿載置部１ｃに原稿が存在するか否かの検出は、原稿センサ２９により行われる。この原稿センサは、原稿が記載されている用紙の端部を光学的手法、例えば、原稿の先端により回動するフオトインタラプタとフオトカプラからなり、フオトインタラプタによる遮光又は透光のいずれかをフオトカプラが検出する構成により達成する。またハンドスキャナー２が画像記録装置１に接続されているかの検出は、画像記録装置１の入力端子部１ｈの電圧変化を検出することにより行う。
【００２５】
以上は、画像記録装置と画像読取装置が通信用コードで接続されるタイプのものについて述べたが、画像読取装置が画像記録装置に組み込まれ一体的に取り扱われるタイプのものにも同様に適用することができる。
【００２６】
【発明の効果】
請求項１の発明によれば、原稿載置部に原稿が配置されているか否かの判断と、画像読取装置に読取データがあるか否かの検出に基づいて、前記原稿載置部に載置された原稿の記録又は前記画像読取装置で読み取られた原稿の記録を行うので、コピー操作の操作性をよくすることができる。
【００２７】
【図面の簡単な説明】
【図１】本発明が適用される画像記録装置の斜視図である。
【図２】本発明の実施例を説明するための画像記録装置及び画像読取装置の内部構成ブロック図である。
【図３】本発明が適用されるハンドスキャナーの斜視図である。
【図４】本発明のコピー操作の手順を示すプログラムのフローチャートである。
【図５】従来の画像記録装置及びこの画像記録装置に接続可能な画像読取装置の斜視図である
【図６】従来のハンドスキャナーの斜視図である。
【符号の説明】
１、１′…画像記録装置、１ａ…操作パネル、１ｂ…液晶表示部、１ｃ…原稿載置部、１ｄ…記録用紙カセット配置部、１ｅ…コピー実行ボタン、１ｆ…原稿排出部、１ｇ…記録用紙排出部、１ｈ…入力端子部、２、２′…画像読取装置（ハンドスキャナー）、２ａ…スタート／ストップ・スイッチ、２ｂ…モード設定用スイッチ、２ｃ…出力端子部、２ｄ…操作スイッチ、３…通信用コード、２０…フアクシミリ部、２１…フアクシミリ制御回路、２２…画像読取部、２３…モデム、２４…ＮＣＵ（網制御装置）、２５…復号器符号器、２６…ＣＰＵ、２７…ＲＯＭ、２８…ＲＡＭ、２９…原稿センサ、３０…プリンタ部、３１…プリンタ制御回路、３２…文字発生回路（ＣＧ）、３３…入出力回路（Ｉ／Ｏ）、３４…ＣＰＵ、３５…ＲＯＭ、３６…ＲＡＭ、３７…プリンタ、４０…インタフエース、４１…入出力回路（Ｉ／Ｏ）、４２…ＣＰＵ、４３…ＲＯＭ、４４…エンコーダ、４５…読取部、４６…ＲＡＭ
【図１】
0003567930.tif 000002
【図２】
0003567930.tif 000003
【図３】
0003567930.tif 000004
【図４】
0003567930.tif 000005
【図５】
0003567930.tif 000006
【図６】
0003567930.tif 000007